(57)【要約】【課題】相手端子との接続信頼性に優れると共に、端子のインピーダンスを上昇させることができるコネクタを得る。【解決手段】第２コネクタ１４の被嵌合部９２に設けられた第２端子６４には、太幅部１５０が形成されている。この太幅部１５０は、第２端子６４における第２コネクタ１４の被嵌合部９２の先端部側に設けられていると共に、第２端子６４の幅方向の寸法が一般部１５２より大きく設定されている。また、第１コネクタ１２の嵌合部３０内に第２コネクタ１４の被嵌合部９２が嵌合され始めた状態からそれ以上の嵌合ができない状態において第１端子２６は第２端子６４の太幅部１５０に接触する。したがって、第２端子６４における一般部１５２には、第１端子２６が接触しないことから、一般部１５２の幅方向の寸法を第１端子２６の接触面積等を考慮することなくインピーダンスを上昇させることができるように小さくすることができる。【選択図】図９
2020149893.tif 000002
【特許請求の範囲】
【請求項１】
嵌合部と、当該嵌合部内に設けられる第１端子とを有する第１コネクタと、
前記第１コネクタの嵌合部に嵌合可能とされた被嵌合部と、当該被嵌合部に設けられると共に嵌合方向に沿って延設されかつ当該被嵌合部が前記第１コネクタの嵌合部に嵌合されると前記第１端子に電気的に接触する第２端子とを有する第２コネクタと、
を備え、
前記第２端子には、前記第２端子における前記第１端子が接触する面の面内方向であって前記被嵌合部の嵌合方向に直交する方向の寸法が一般部より大きく設定された太幅部が前記被嵌合部の先端側に形成されており、
前記第１コネクタの嵌合部に前記第２コネクタの被嵌合部が嵌合され始めた状態から前記被嵌合部がそれ以上嵌合できない状態までにおいて、前記第１端子が前記第２端子の太幅部に接触する、
コネクタ。
【請求項２】
前記第１端子には、前記第２端子と接触する部位である第１端子接点部から嵌合方向にて前記第２コネクタ側へ向かうに連れて前記第２端子と離間する方向に傾斜された誘導傾斜部が設けられており、
前記第１コネクタの嵌合部に前記第２コネクタの被嵌合部がそれ以上嵌合できない状態にて前記誘導傾斜部の少なくとも一部が、前記第２端子における前記第１端子が接触する面の面直方向視にて前記第２端子の一般部に対応した位置に配置されている、
請求項１に記載のコネクタ。
【請求項３】
前記第２端子における前記太幅部と前記一般部との間には、前記第２端子における前記第１端子が接触する面の面直方向視にて前記太幅部と前記一般部とをなだらかに繋ぐ傾斜部が設けられている、
請求項１又は請求項２に記載のコネクタ。
【請求項４】
前記第２端子の前記一般部は、前記第２端子における前記第１端子が接触する面の面内方向であって前記被嵌合部の嵌合方向に直交する方向の寸法が略一定とされている、
請求項１〜請求項３のいずれか一項に記載のコネクタ。
【請求項５】
前記第２端子は、前記第２端子における前記第１端子が接触する面の面直方向を厚さ方向とする板材により構成されている、
請求項１〜請求項４のいずれか一項に記載のコネクタ。
【発明の詳細な説明】
【技術分野】
【０００１】
本発明は、コネクタに関する。
【背景技術】
【０００２】
下記特許文献には、端子のインピーダンスの調整方法及びその構造に関する発明が開示されている。この端子は、コネクタの内部に設けられていると共に、一部が切り欠かれた形状とされている。これにより、端子の容量が減少してインピーダンスを上昇させることができる。
【先行技術文献】
【特許文献】
【０００３】
【特許文献１】特開平１１−３３９９２１号公報
【発明の概要】
【発明が解決しようとする課題】
【０００４】
しかしながら、上記特許文献に開示された構成では、端子の幅方向にて端子の一部が切り欠かれた構成とされているため、他のコネクタと嵌合させた際に相手コネクタの端子との接触面積を十分に確保できなかったり、相手コネクタの端子が端子の切り欠かれた部位に嵌まり込んでしまうことで、電気的な導通状態を確保できなくなる可能性がある。したがって、上記先行技術はこの点で改良の余地がある。
【０００５】
本発明は上記事実を考慮し、相手端子との接続信頼性に優れると共に、端子のインピーダンスを上昇させることができるコネクタを得ることを目的とする。
【課題を解決するための手段】
【０００６】
第１の態様に係るコネクタは、嵌合部と、当該嵌合部内に設けられる第１端子とを有する第１コネクタと、前記第１コネクタの嵌合部に嵌合可能とされた被嵌合部と、当該被嵌合部に設けられると共に嵌合方向に沿って延設されかつ当該被嵌合部が前記第１コネクタの嵌合部に嵌合されると前記第１端子に電気的に接触する第２端子とを有する第２コネクタと、を備え、前記第２端子には、前記第２端子における前記第１端子が接触する面の面内方向であって前記被嵌合部の嵌合方向に直交する方向の寸法が一般部より大きく設定された太幅部が前記被嵌合部の先端側に形成されており、前記第１コネクタの嵌合部に前記第２コネクタの被嵌合部が嵌合され始めた状態から前記被嵌合部がそれ以上嵌合できない状態までにおいて、前記第１端子が前記第２端子の太幅部に接触する。
【０００７】
上記第１の態様では、第２コネクタの被嵌合部に設けられた第２端子には、太幅部が形成されている。この太幅部は、第２端子における第２コネクタの被嵌合部の先端部側に設けられていると共に、第２端子における第１端子が接触する面の面内方向であって被嵌合部の第１コネクタの嵌合部との嵌合方向に直交する方向（以下、単に「幅方向」と称する。）の寸法が一般部の幅方向の寸法より大きく設定されている。また、第１コネクタの嵌合部に第２コネクタの被嵌合部が嵌合され始めた状態から被嵌合部がそれ以上の嵌合ができない状態までにおいて、第１端子は第２端子の太幅部に接触する。したがって、第２端子における一般部には、第１端子が接触しないことから、一般部の幅方向の寸法について第１端子との接触面積等を考慮する必要がない。このため、インピーダンスを上昇させるために一般部の幅方向の寸法を小さくすることができる。
【０００８】
さらに、第１コネクタの嵌合部に第２コネクタの被嵌合部がそれ以上の嵌合できない状態にて第１端子は、第２端子における一般部より幅方向の寸法が大きい太幅部と接触することから、接触面積を確保し易くなる。つまり、電気的な導通状態を確保することができる。
【０００９】
第２の態様に係るコネクタは、第１の態様において、前記第１端子には、前記第２端子と接触する部位である第１端子接点部から嵌合方向にて前記第２コネクタ側へ向かうに連れて前記第２端子と離間する方向に傾斜された誘導傾斜部が設けられており、前記第１コネクタの嵌合部に前記第２コネクタの被嵌合部がそれ以上嵌合できない状態にて前記誘導傾斜部の少なくとも一部が、前記第２端子における前記第１端子が接触する面の面直方向視にて前記第２端子の一般部に対応した位置に配置されている。
【００１０】
上記第２の態様では、第１端子に誘導傾斜部が設けられていることで、第１端子を有する第１コネクタが第２コネクタと嵌合する際に、誘導傾斜部がいわばガイドとなって安定的に第１端子接点部を第２端子に接触させることができる。この誘導傾斜部は、第１端子接点部から嵌合方向にて第２コネクタ側へ向かうに連れて第２端子と離間する方向に傾斜されていることから、第１端子接点部が第２端子に接触した状態では、誘導傾斜部は第２端子と接触しない。換言すると、第１コネクタの嵌合部に第２コネクタの被嵌合部がそれ以上嵌合できない状態において、第２端子における第１端子が接触する面の面直方向視で第２端子における第１端子の誘導傾斜部の少なくとも一部に重なる部位は、第１端子が接触しないデッドスペースとなる。つまり、このデッドスペースに一般部が配置されることから、スペースを有効活用しながらインピーダンスを上昇させることができる。
【００１１】
第３の態様に係るコネクタは、第１または第２の態様において、前記第２端子における前記太幅部と前記一般部との間には、前記第２端子における前記第１端子が接触する面の面直方向視にて前記太幅部と前記一般部とをなだらかに繋ぐ傾斜部が設けられている。
【００１２】
上記第３の態様では、第２端子における太幅部と一般部との間には、傾斜部が設けられており、この傾斜部は、第２端子における第１端子が接触する面の面直方向視にて太幅部と一般部とをなだらかに繋いでいる。したがって、太幅部と一般部との境界にて電気信号の反射が発生するのを抑制することができる。
【００１３】
第４の態様に係るコネクタは、第１〜第３のいずれか一つの態様において、前記第２端子の前記一般部は、前記第２端子における前記第１端子が接触する面の面内方向であって前記被嵌合部の嵌合方向に直交する方向の寸法が略一定とされている。
【００１４】
上記第４の態様では、一般部の幅方向の寸法が略一定とされていることから、インピーダンスを上昇させるために部分的にノッチ等を設ける構成と比べて電気信号の反射を抑制することができる。
【００１５】
第５の態様に係るコネクタは、第１〜第５のいずれか一つの態様において、前記第２端子は、前記第２端子における前記第１端子が接触する面の面直方向を厚さ方向とする板材により構成されている。
【００１６】
上記第５の態様では、第２端子は、第２端子における第１端子が接触する面の面直方向を厚さ方向とする板材により構成されていることから、太幅部と一般部とはそれぞれ板材の幅方向の寸法が異なる構成となる。つまり、板材を幅方向にて加工して太幅部と一般部とを形成するため、板材を厚さ方向にて加工する場合と比べて寸法精度を高くすることができる。したがって、第２端子の形状のバラつきを小さくすることができる。
【発明の効果】
【００１７】
以上説明したように、本発明は、相手端子との接続信頼性に優れると共に、端子のインピーダンスを上昇させることができるという優れた効果を有する。
【図面の簡単な説明】
【００１８】
【図１】一実施形態に係る第２コネクタの斜視図である。
【図２】一実施形態に係るコネクタの通常の嵌合状態を示す斜視図である。
【図３】一実施形態に係る第２コネクタを第１コネクタへ限界まで嵌合した嵌合状態を示す斜視図である。
【図４】図２におけるＡ−Ａ線に沿って切断した状態を示す断面図である。
【図５】一実施形態に係る第２コネクタの被嵌合部を示す部分断面図である。
【図６】図５におけるＢ−Ｂ線に沿って切断した状態を示す断面図である。
【図７】一実施形態に係る第２端子の正面図である。
【図８】一実施形態に係る第２端子の斜視図である。
【図９】一実施形態に係るコネクタの通常の嵌合時における第１端子と第２端子との接触状態を示す斜視図である。
【図１０】一実施形態に係る第２コネクタを第１コネクタへ限界まで嵌合した嵌合時における第１端子と第２端子との接触状態を示す斜視図である。
【図１１】変形例に係る第２端子の斜視図である。
【図１２】変形例に係る第２端子の図６に対応した断面図である。
【発明を実施するための形態】
【００１９】
図１〜図１０を用いて、本発明の一実施形態について説明する。
【００２０】
なお、以下の説明では、各図に示す矢印Ｘをコネクタ前方向、矢印Ｙをコネクタ幅方向一方側（右側）、矢印Ｚをコネクタ上方向として説明する。また、特記なく前後、上下、幅（左右）という語を用いる場合は、コネクタ前後方向の前後、コネクタ上下方向の上下、コネクタ幅方向（左右方向）の幅（左右）を示すものとする。これらの方向は、コネクタの使用状態での方向とは無関係である。また、各図においては、図面を見易くする意図で、一部の符号を省略している場合がある。
【００２１】
（全体構成）
図２に示されるように、本実施形態に係るコネクタ１０は、第１コネクタ１２と、第２コネクタ１４とを備えている。第１コネクタ１２と第２コネクタ１４とは、それぞれ別の回路基板に固定されている。そして、第２コネクタ１４は、第１コネクタ１２にＺ方向にて嵌合可能とされている。本実施形態において、嵌合方向Ｚは、コネクタ１０の上下方向と一致しており、以下の説明では、嵌合方向Ｚを「上下方向」と称する場合がある。このコネクタ１０は、前後方向及び左右方向に対称な形状に形成されている。
【００２２】
（第１コネクタ）
第１コネクタ１２は、所謂可動（フローティング）コネクタであり、接続対象物としての第２コネクタ１４が嵌合される可動ハウジング１８と、図示しない回路基板に固定される固定ハウジング２０と、を備えている。固定ハウジング２０は、可動ハウジング１８に対して第２コネクタ１４の嵌合方向（矢印Ｚ方向）と直交する端子配列方向（矢印Ｙ方向）の両側に配置された一対の側壁部２２、２４を有している。
【００２３】
また、この第１コネクタ１２は、可動ハウジング１８と一対の側壁部２２、２４との間に架渡方向（矢印Ｘ方向）に沿って架け渡され、嵌合方向Ｚ及び端子配列方向Ｙに配列された複数の第１端子２６を備えている（図４参照）。
【００２４】
図４に示されるように、可動ハウジング１８は、上方へ向けて開放された嵌合部３０を有する有底の略矩形筒状（略直方体状）に形成されている。この可動ハウジング１８は、例えば合成樹脂等の絶縁性材料によって製造されたものである。なお、本実施形態に係る可動ハウジング１８は、左右方向を長手とする長尺状に形成されているが、可動ハウジング１８における左右方向の寸法は、第１端子２６の数によって適宜変更される構成とされている。
【００２５】
嵌合部３０の一部を構成する底壁３２には、上下方向に延びる複数の第１端子挿入孔３４が左右方向に等間隔に並んで形成されている。これらの第１端子挿入孔３４は、上下方向へ開口している。また、これらの第１端子挿入孔３４の下端部は、可動ハウジング１８の左右方向に一対設けられた対向凸部３６（図４では一方側のみ図示）における回路基板に対向した対向面３８よりも上方側に設けられている。
【００２６】
可動ハウジング１８の周囲には、上下方向に貫通した矩形の貫通孔４２を有して略矩形枠状に形成された固定ハウジング２０が設けられている。この固定ハウジング２０は、例えば合成樹脂等の絶縁性材料によって製造されたものである。なお、本実施形態に係る固定ハウジング２０は、左右方向を長手とする長尺状に形成されているが、固定ハウジング２０における左右方向の寸法は、第１端子２６の数によって適宜変更される構成とされている。また、固定ハウジング２０の前後方向における一対の側壁部４４、４６には、それぞれ金属により構成されたシールドシェル４８が取り付けられている。
【００２７】
固定ハウジング２０の貫通孔４２の内側には、可動ハウジング１８が配置されている。固定ハウジング２０の貫通孔４２の内周面と、可動ハウジング１８の外周面との間には、上下方向から見て略矩形環状の隙間５０が形成されている。
【００２８】
固定ハウジング２０には、下方側へ突出した位置決めボス４０が左右一対に形成されている。それぞれの位置決めボス４０は、回路基板に形成された図示しない位置決め孔に嵌入されている。
【００２９】
（第１端子）
複数の第１端子２６は、導電性を有する金属板が所定の形状に打ち抜ぬかれて製造されたものであり、前後一対の端子列５２、５４を構成している。前後の端子列５２、５４は、それぞれ複数の第１端子２６が左右方向に等間隔に並べられた構成とされている。前側の端子列５２が有する複数の第１端子２６と、後側の端子列５４が有する複数の第１端子２６とは、同一の形状に形成されているが、互いに前後方向にて対向する向きの姿勢で配置されている。前側の端子列５２が有する複数の第１端子２６は、固定ハウジング２０の前側の側壁部４４と、可動ハウジング１８との間に前後方向に沿って架け渡されており、後側の端子列５４が有する複数の第１端子２６は、固定ハウジング２０の後側の側壁部４６と、可動ハウジング１８との間に前後方向に沿って架け渡されている。
【００３０】
各第１端子２６は、可動ハウジング１８に保持され、前後方向外側へ弾性変形しながら第２コネクタ１４に設けられた後述する第２端子６４と電気的に接触される第１接触部６０と、第１接触部６０から前後方向外側へ延出され、弾性変形可能とされた第１弾性部６２と、第１弾性部６２における第１接触部６０とは反対側の端部から前後方向外側へ延出されて固定ハウジング２０に保持され、回路基板に固定される第１接続部６６と、を有している。
【００３１】
第１接触部６０は、左右方向を板厚方向とし且つ上下方向を長手方向とする長尺板状に形成されており、可動ハウジング１８の第１端子挿入孔３４に対して下方側から挿入されている。この第１接触部６０の略下半部は、可動ハウジング１８の第１端子挿入孔３４内に挿入（圧入）された第１保持部６８とされている。この第１保持部６８には、可動ハウジング１８の前後方向中央側へ突出した複数の爪部７０が上下方向に並んで形成されている。これら複数の爪部７０が第１端子挿入孔３４の内周面に食い込むことで、第１保持部６８が可動ハウジング１８に保持されている。
【００３２】
第１接触部６０の略上半部は、上下方向に延設された第１端子弾性部７２とされている。第１端子弾性部７２は、可動ハウジング１８の嵌合部３０内に配置されており、前後方向に弾性変形可能とされている。第１端子弾性部７２の上端側には、可動ハウジング１８の嵌合部３０内へ突出した第１端子接点部７４（図９参照）が形成されている。第１端子接点部７４は、第２コネクタ１４に設けられた第２端子６４と接触される。これにより、第１端子２６が第２端子６４と電気的に接続される。
【００３３】
第１端子弾性部７２における第１端子接点部７４の上方側には、誘導傾斜部７６が設けられている。誘導傾斜部７６は、第１端子接点部７４から上方へ向かうに連れて前後方向外側へ向けて傾けられた傾斜面を有している。換言すると、第１端子接点部７４から第１端子弾性部７２における先端側へ向かうに連れて第２端子６４と離間するように傾斜されている。
【００３４】
第１接続部６６は、固定ハウジング２０に形成された第１端子挿入孔８２に対して下方側から挿入（圧入）された第１圧入部８０と、第１圧入部８０の下端から前後方向外側へ延出され、第１端子挿入孔８２の溝状部８４（図２参照）内に挿入された第１接続片８６とを有しており、左右方向視で略Ｌ字状に形成されている。第１圧入部８０の上部には、固定ハウジング２０の前後方向中央側へ突出した爪部７０が形成されている。この爪部７０が第１端子挿入孔８２の内周面に引っ掛かることで、第１圧入部８０が固定ハウジング２０に保持されている。第１接続片８６は、固定ハウジング２０よりも前後方向外側へ突出している。この第１接続片８６は、ハンダ付け等の手段によって回路基板に固定（電気的に接続）されている。
【００３５】
第１弾性部６２は、第１端子２６の前後方向中間部を構成しており、第１接触部６０の下端から前後方向外側へ一体に延出されている。この第１弾性部６２における第１接触部６０とは反対側の端部からは、上記の第１接続部６６が一体に延出されている。この第１弾性部６２は、前後方向中間部が上方（第２コネクタ１４の抜去方向）へ凸をなして曲がった第１ばね部８８とされている。この第１ばね部８８は、左右方向から見て下方側が開放された逆Ｕ字状をなしている。
【００３６】
（第２コネクタ）
第２コネクタ１４は、第２ハウジング９０と、複数の第２端子６４とが設けられている。第２ハウジング９０は、略矩形筒状（略直方体状）に形成されている。この第２ハウジング９０は、例えば合成樹脂等の絶縁性材料によって製造されたものである。なお、本実施形態に係る第２ハウジング９０は、左右方向を長手とする長尺状に形成されているが、第２ハウジング９０における左右方向の寸法は、第２端子６４の数によって適宜変更される構成とされている。
【００３７】
第２ハウジング９０の下部には、被嵌合部９２が設けられている。被嵌合部９２は、第２ハウジング９０における底面９４の前後方向及び左右方向それぞれの略中央に設けられていると共に、底面９４から下方へ向けて突出されている。被嵌合部９２は、図１に示されるように、左右方向を長手方向とする略直方体状に形成されており、前後方向における一対の側壁部１０４には、それぞれ複数の溝状部９６が左右方向に等間隔に並んで形成されている。この溝状部９６は、上下方向に延びていると共に、長手方向に直交する断面形状が前後方向外側へ向けて開口された形状とされており（図６参照）、上端部が底面９４から第２ハウジング９０の上側に設けられた凹部９８の底壁１００にかけて上下方向に連通された第２端子挿入孔１０２（図４参照）に連結されている。なお、凹部９８の一対の側壁部１０６には、それぞれ上下方向に延びる複数の溝状部１０８が第２端子挿入孔１０２に対応した位置にて左右方向に等間隔に並んで形成されている。また、凹部９８の一対の上壁部１１０にも、それぞれ前後方向に延びる溝状部１１２が溝状部１０８に対応した位置にて左右方向に等間隔に並んで形成されている。
【００３８】
被嵌合部９２の左右方向外側には、一対の延設壁部１１４が設けられている。延設壁部１１４は、第２ハウジング９０における底面９４（図４参照）の左右方向外側端部からそれぞれ下方へ向けて突出されている。延設壁部１１４の底面９４に対する突出量は、被嵌合部９２の底面９４に対する突出量よりも大きくされている。
【００３９】
第２ハウジング９０の側壁部１１６、１１８には、前後方向にて一対のシールドシェル１２０が設けられている。シールドシェル１２０は、金属の板材により構成されており、第２ハウジング９０の側壁部１１６、１１８にそれぞれ形成された下方へ向けて開口された深溝部１２２（図４参照）内に下方側から挿入されている。そして、シールドシェル１２０は、前後方向にて対称に形成されており、これによって内部に被嵌合部９２及び延設壁部１１４を収めた略角筒状に形成されている。
【００４０】
図２に示されるように、側壁部１１６、１１８におけるシールドシェル１２０より前後方向外側には、複数の突当部１２６が形成されている。突当部１２６は、第２コネクタ１４が第１コネクタ１２に嵌合した状態にて底壁部１２８（図１参照）が第２コネクタ１４の固定ハウジング２０における側壁部４４、４６の上端部にそれぞれ対向するように構成されている。
【００４１】
また、側壁部１１６、１１８におけるシールドシェル１２０より左右方向外側には、それぞれ突当部１３０が形成されている。突当部１３０は、第２コネクタ１４が第１コネクタ１２に嵌合した状態にて固定ハウジング２０の左右方向外側に一対形成されかつ上方へ向けて開口された嵌合溝１３２内に上方から挿入されていると共に、底壁部１３４（図１参照）が嵌合溝１３２の底壁部１３６に対向するように構成されている。
【００４２】
なお、第２コネクタ１４が第１コネクタ１２に嵌合した状態では、第１コネクタ１２の隙間５０内に第１コネクタ１２のシールドシェル１２０の下端部及び延設壁部１１４（図５参照）が挿入されると共に、第１コネクタ１２の嵌合部３０内に、第２コネクタ１４の被嵌合部９２が嵌合される。図４に示されるように、第１コネクタ１２の嵌合部３０内に第２コネクタ１４の被嵌合部９２が嵌合された状態では、被嵌合部９２の頂壁部１３８が嵌合部３０の底壁３２と対向されている。
【００４３】
（第２端子）
複数の第２端子６４は、導電性を有する金属板が所定の形状に打ち抜ぬかれて製造されたものであり、前後一対の端子列１４０、１４２を構成している。前後の端子列１４０、１４２は、それぞれ第２端子６４の厚さ方向が前後方向に沿う向きにて複数の第２端子６４が左右方向に等間隔に並べられた構成とされている（図５参照）。前側の端子列１４０が有する複数の第２端子６４と、後側の端子列１４２が有する複数の第２端子６４とは、同一の形状に形成されているが、互いに前後方向にて対向する向きの姿勢で配置されている。前側の端子列１４０が有する複数の第２端子６４は、被嵌合部９２の前側の側壁部１０４（図１参照）に設けられており、後側の端子列１４２が有する複数の第２端子６４は、被嵌合部９２の後側の側壁部１０４（図１参照）に設けられている。
【００４４】
各第２端子６４は、図４に示されるように、被嵌合部９２に保持され、被嵌合部９２とシールドシェル１２０との間に位置する露出部１４４と、露出部１４４から上方へ延出され第２端子挿入孔１０２内及び溝状部１０８に一部が挿入された第２保持部１４６と、第２保持部１４６における露出部１４４とは反対側の端部から前後方向外側へ延出されて第２ハウジング９０の溝状部１１２内に配置され、回路基板に固定される第２接続部１４８と、を有している。
【００４５】
露出部１４４は、図５に示されるように、第２端子６４の下端側の一部が外部に露出されており、第１コネクタ１２に設けられた第１端子２６と電気的に接触される太幅部１５０（図８参照）と、太幅部１５０から上方へ延出された一般部１５２と、太幅部１５０と一般部１５２との間に設けられた傾斜部１５４と、を有している。
【００４６】
太幅部１５０は、被嵌合部９２の先端側に設けられていると共に、図８に示されるように、第２端子６４の厚さ方向を面直方向としかつ第１端子接点部７４（図９参照）が接触する面である接触面１５６の幅方向の寸法が、一般部１５２の幅方向の寸法よりも大きく設定されている。なお、太幅部１５０の先端には、上方へ向かうに連れて幅方向及び板厚方向の寸法がそれぞれ大きくなる傾斜面が形成されたガイド部１５８が形成されている。
【００４７】
太幅部１５０の接触面１５６における左右方向の一対の端部には、それぞれテーパ部１６０が形成されている。このテーパ部１６０は、図６に示されるように、溝状部９６の断面形状における面取部１６２に対向するように形成されている。
【００４８】
図１０に示されるように、太幅部１５０は、第２コネクタ１４が第１コネクタ１２にそれ以上嵌合（挿入）できない状態にて第１端子２６の第１端子接点部７４が太幅部１５０の接触面１５６に接触するように構成されている。すなわち、図２に示される第１コネクタ１２と第２コネクタ１４との通常の嵌合状態では、図９に示されるように、第２端子６４の太幅部１５０に第１端子２６の第１端子接点部７４が接触する。この状態から、第２コネクタ１４を第１コネクタ１２へさらに嵌合させると、図３に示されるように、第２コネクタ１４の突当部１３０における底壁部１３４（図１参照）が第１コネクタ１２の嵌合溝１３２の底壁部１３６に当接する。同様に、第２コネクタ１４の突当部１２６における底壁部１２８（図１参照）が第２コネクタ１４の側壁部４４、４６の上端部に当接する。これにより、第２コネクタ１４は第１コネクタ１２にそれ以上の嵌合ができない状態となる。この状態では、図１０に示されるように、第２端子６４は下方へと移動するが、第１端子２６の第１端子接点部７４が第２端子６４の傾斜部１５４や一般部１５２に接触しないように太幅部１５０の上下方向の範囲が設定されている。
【００４９】
図７に示されるように、一般部１５２は、太幅部１５０よりも幅方向の寸法が小さく設定されておりかつ当該幅方向の寸法は略一定とされている。また、傾斜部１５４は、図８に示されるように、太幅部１５０の側壁部１５１の上端部から上方へ向かうに連れて一般部１５２の側壁部１５３に繋がる傾斜面１６８が左右一対に設けられている。この傾斜面１６８は、太幅部１５０と一般部１５２とをなだらかに繋ぐように上下方向に対する傾斜角度が一例として鋭角に設定されている。
【００５０】
（作用効果）
次に、本実施形態の作用効果について説明する。
【００５１】
本実施形態では、第２コネクタ１４の被嵌合部９２に設けられた第２端子６４には、太幅部１５０が形成されている。この太幅部１５０は、第２端子６４における第２コネクタ１４の被嵌合部９２の先端部側に設けられていると共に、太幅部１５０における幅方向の寸法が一般部１５２における幅方向の寸法より大きく設定されている。また、第１コネクタ１２の嵌合部３０内に第２コネクタ１４の被嵌合部９２が嵌合され始めた状態から被嵌合部９２がそれ以上の嵌合ができない状態（図３参照）までにおいて、図１０に示されるように、第１端子２６は第２端子６４の太幅部１５０に接触する。したがって、第２端子６４における一般部１５２には、第１端子２６が接触しないことから、一般部１５２の幅方向の寸法について第１端子２６との接触面積等を考慮する必要がない。このため、インピーダンスを上昇させるために一般部１５２の幅方向の寸法を小さくすることができる。
【００５２】
さらに、第１コネクタ１２の嵌合部３０内に第２コネクタ１４の被嵌合部９２がそれ以上の嵌合ができない状態にて第１端子２６は、第２端子６４における一般部１５２より幅方向の寸法が大きい太幅部１５０と接触することから、接触面積を確保し易くなる。つまり、電気的な導通状態を確保することができる。これにより、相手端子との接続信頼性に優れると共に、端子のインピーダンスを上昇させることができる。
【００５３】
さらにまた、図９に示されるように、第１端子２６に誘導傾斜部７６が設けられていることで、第１端子２６を有する第１コネクタ１２が第２コネクタ１４と嵌合する際に誘導傾斜部７６がいわばガイドとなって安定的に第２端子６４と接触させることができる。この誘導傾斜部７６は、第１端子接点部７４から嵌合方向Ｚにて第２コネクタ１４側へ向かうに連れて第２端子６４と離間する方向に傾斜されていることから、第１端子接点部７４が第２端子６４に接触した状態では、誘導傾斜部７６は第２端子６４と接触しない。換言すると、第１コネクタ１２の嵌合部３０内に第２コネクタ１４の被嵌合部９２がそれ以上嵌合できない状態において、第２端子６４における第１端子２６が接触する接触面１５６の面直方向視で第２端子６４における第１端子２６の誘導傾斜部７６の少なくとも一部に重なる部位は、第１端子２６が接触しないデッドスペースとなる。つまり、このデッドスペースに一般部１５２が配置されることから、スペースを有効活用しながらインピーダンスを上昇させることができる。
【００５４】
また、第２端子６４における太幅部１５０と一般部１５２との間には、傾斜部１５４が設けられており、この傾斜部１５４は、第２端子６４における第１端子２６が接触する接触面１５６の面直方向視にて太幅部１５０と一般部１５２とをなだらかに繋いでいる。したがって、太幅部１５０と一般部１５２との境界にて電気信号の反射を抑制することができる。
【００５５】
さらに、一般部１５２の幅方向の寸法が略一定とされていることから、インピーダンスを上昇させるために部分的にノッチ等を設ける構成と比べて電気信号の反射を抑制することができる。
【００５６】
さらにまた、第２端子６４は、第２端子６４における第１端子２６が接触する接触面１５６の面直方向を厚さ方向とする板材により構成されていることから、太幅部１５０と一般部１５２とはそれぞれ板材の幅方向の寸法が異なる構成となる。つまり、板材を幅方向にて加工して太幅部１５０と一般部１５２とを形成するため、板材を厚さ方向にて加工する場合と比べて寸法精度を高くすることができる。したがって、第２端子６４の形状のバラつきを小さくすることができる。
【００５７】
（変形例）
なお、図８に示されるように、第２端子６４の接触面１５６における左右方向の一対の端部には、テーパ部１６０が設けられている構成とされているが、これに限らず、図１１に示されるように、第２端子１８０の接触面１８２における左右方向の一対の端部にテーパ部１６０が設けられない構成としてもよい。これにより、図１２に示されるように、第２端子１８０の接触面１８２における左右方向の一対の端部の角部１８４が、溝状部９６の面取部１６２と干渉することで、第２端子１８０が前後方向内側へと付勢されるため、組み立て時に溝状部９６内に第２端子１８０を適切に配置することができる。したがって、第１コネクタ１２の嵌合時に第１端子２６と第２端子１８０とを安定的に接触させることができる。
【００５８】
以上、本発明の実施形態について説明したが、本発明は、上記に限定されるものでなく、その主旨を逸脱しない範囲内において上記以外にも種々変形して実施することが可能であることは勿論である。
【符号の説明】
【００５９】
１０   コネクタ
１２   第１コネクタ
１４   第２コネクタ
２６   第１端子
３０   嵌合部
６４   第２端子
７６   誘導傾斜部
９２   被嵌合部
１５０ 太幅部
１５２ 一般部
１５４ 傾斜部
１５６ 接触面（第２端子における第１端子が接触する面）
１８２ 接触面（第２端子における第１端子が接触する面）
【図１】
2020149893.tif 000003
【図２】
2020149893.tif 000004
【図３】
2020149893.tif 000005
【図４】
2020149893.tif 000006
【図５】
2020149893.tif 000007
【図６】
2020149893.tif 000008
【図７】
2020149893.tif 000009
【図８】
2020149893.tif 000010
【図９】
2020149893.tif 000011
【図１０】
2020149893.tif 000012
【図１１】
2020149893.tif 000013
【図１２】
2020149893.tif 000014